(57)【要約】      （修正有）【課題】孔あけ或いは孔拡張の作業を行なう時のドリルの鋭利さを確保できる携帯式ドリル研磨機の提供。【解決手段】ケースと、ドリル位置決め装置と、第１研磨シートと、第２研磨シートと、少なくとも一つの挟持具とを具え、該ケースはハンドルを具え携しやすく、内部にモータのような動力源と伝動装置が設けられ、エメリーバフを駆動して安定して回転させ、該ドリル位置決め装置は研磨するドリルの切れ刃の逃げ角に組み合わされ、第１研磨シートはエメリーバフの前方に設けられ、第２研磨シートはエメリーバフの上方に設けられ、挟持具はドリルを挟持し、それとドリル位置決め装置が組み合わされてドリルの伸出長さと角度を位置決めし、ドリル位置決め装置が第１及び第２研磨シートに置かれる時、それぞれドリルの各切れ刃の角度により、切れ刃及び二番取り面をエメリーバフ研磨斜面と密着させ、ドリルに対して精密な研磨を行なう。【選択図】図１
0003102568.tif 000002
【実用新案登録請求の範囲】
【請求項１】
ハンドルを具えて携帯しやすく内部にモータのような動力源と伝動装置が設けられてエメリーバフを駆動して安定して回転させるケースと、ドリルの切れ刃の逃げ角に組み合わされるドリル位置決め装置と、エメリーバフの前方に設けられる第１研磨シートと、エメリーバフの上方に設けられる第２研磨シートと、研磨されるドリルを挟持し、ドリル位置決め装置と組み合わされてドリルの伸出長さ及び角度を位置決めし、第１研磨シート及び第２研磨シートに組み合わされる時、それぞれドリルの静止点及び螺旋角に応じて、ドリルの切れ刃及び二番取り面をエメリーバフの研磨斜面に緊密に貼り合わせてドリルに対して研磨を行なわせる少なくとも一つの挟持具と、を具えたことを特徴とする、携帯式ドリル研磨機。
【請求項２】
請求項１記載の携帯式ドリル研磨機において、ドリル位置決め装置が挟持具を収容する挟持具固定座とドリル位置決め型を具え、該挟持具固定座とドリル位置決め型が同一軸線上に位置し、且つ設定距離離間するようにしてケースに設けられたことを特徴とする、携帯式ドリル研磨機。
【請求項３】
請求項２記載の携帯式ドリル研磨機において、ドリル位置決め型が固定シートと調整ノブの操作により該固定シートに対して上下移動調整される可動シートを具え、該可動シートにドリルの切れ刃と接合される楔形表面が設けられたことを特徴とする、携帯式ドリル研磨機。
【請求項４】
請求項１又は請求項２記載の携帯式ドリル研磨機において、挟持具が異径本体を具え、その内部にドリル寸法に合わせた寸法の筒形弾性挟持部が設けられ、該筒形弾性挟持部が、該異径本体に螺合される孔付締めつけボルトにより、強制的に該孔付締めつけボルトと異径本体に通されたドリルを緊密に挟持することを特徴とする、携帯式ドリル研磨機。
【請求項５】
請求項４記載の携帯式ドリル研磨機において、異径本体の大径端の小径端に近接する辺縁に少なくとも一つの制限溝が設けられたことを特徴とする、携帯式ドリル研磨機。
【請求項６】
請求項５記載の携帯式ドリル研磨機において、ドリル位置決め装置の挟持具固定座に挟持具の小径端の嵌入に供される軸孔と該軸孔の外周の設定角度位置にある制限凸柱が設けられ、該制限凸柱が挟持具の制限溝内に挿入可能とされ、これにより挟持具の回転角度が制限されることを特徴とする、携帯式ドリル研磨機。
【請求項７】
請求項１記載の携帯式ドリル研磨機において、第１研磨シートの底面に円弧形滑り溝が設けられ、ボルトが該円弧形滑り溝に組み合わされて、第１研磨シートが角度調整可能な方式でケースに螺子止めされることを特徴とする、携帯式ドリル研磨機。
【請求項８】
請求項２記載の携帯式ドリル研磨機において、第１研磨シートとエメリーバフの間隔が挟持具固定座とドリル位置決め型間の距離に等しいことを特徴とする、携帯式ドリル研磨機。
【請求項９】
請求項５記載の携帯式ドリル研磨機において、第１研磨シートに挟持具の小径端の嵌入に供される軸孔及び該軸孔の外周の設定角度及び設定間距位置にある二つの制限凸柱が設けられ、この制限凸柱が挟持具の制限溝内に挿入可能とされ、これにより挟持具の回転角度が制限されることを特徴とする、携帯式ドリル研磨機。
【請求項１０】
請求項９記載の携帯式ドリル研磨機において、第１研磨シートの軸孔が上向きに傾斜する角度を有し、それはドリルの切れ刃の逃げ角により設定されることを特徴とする、携帯式ドリル研磨機。
【請求項１１】
請求項２記載の携帯式ドリル研磨機において、第２研磨シートとエメリーバフの間隔が挟持具固定座とドリル位置決め型の間距に合わされたことを特徴とする、携帯式ドリル研磨機。
【請求項１２】
請求項５記載の携帯式ドリル研磨機において、第２研磨シートに挟持具の小径端の嵌入に供される軸孔及び該軸孔の外周の設定角度位置にある制限凸柱が設けられ、この制限凸柱が挟持具の制限溝内に挿入可能とされ、これにより挟持具の回転角度が制限されることを特徴とする、携帯式ドリル研磨機。
【請求項１３】
請求項１記載の携帯式ドリル研磨機において、エメリーバフがケースに設けられた研磨室内に設置され、且つ研磨室が開閉式カバーで閉じられたことを特徴とする、携帯式ドリル研磨機。
【請求項１４】
請求項１記載の携帯式ドリル研磨機において、ケースに傾斜度を有する複数の挟持具収容孔が設けられ、該挟持具収容孔が挟持具の放置に供されることを特徴とする、携帯式ドリル研磨機。
【請求項１５】
請求項４記載の携帯式ドリル研磨機において、筒形弾性挟持部が軸方向に延伸され且つ平行に配列された複数のスリットを具え、これにより弾性を具えた複数の爪部が形成され、該筒形弾性挟持部の後端が孔付締めつけボルトにより外向きに拡張させられることで、筒形弾性挟持部の前端が内向きに収縮し、これにより筒形弾性挟持部に通されたドリルを緊密に挟持することを特徴とする、携帯式ドリル研磨機。
【考案の詳細な説明】
【技術分野】
【０００１】
本考案は一種のドリル研磨機に係り、特に研磨精度を高めることができ且つドリルの各切削部分に対して研磨を行なえる携帯式ドリル研磨機に関する。
【背景技術】
【０００２】
現在、ドリルは一般家庭及び各種の工房で配備が必要な手持ち工具の一つであり、ドリルに使用される各種サイズのドリルは経常的に研磨して鋭利さを保持し、これにより孔あけ或いは孔拡張の作業を順調に行なえるようにする必要がある。しかし、周知のドリル研磨機は大型機械に属し、販売価格が高く且つ体積が膨大であり、大型工場にしか適合せず、一般家庭或いは各種の工房での使用は難しかった。
【考案の開示】
【考案が解決しようとする課題】
【０００３】
本考案の主要な目的は、一種の携帯式ドリル研磨機を提供することにあり、それは、ドリルの各切削部分に対して研磨が行なえ、孔あけ或いは孔拡張の作業を行なう時のドリルの鋭利さを確保できるようにするものとする。
【０００４】
本考案の次の目的は、一種の携帯式ドリル研磨機を提供することにあり、それは、位置決め装置を具えて使用者が予め研磨するドリルを位置決めでき、ドリルの逃げ角とエメリーバフの研磨斜面を密着させ、並びに各切れ刃の角度に応じて研磨を行ない、且つ直接異なる位置に研磨を行なうことができ、研磨後の切れ刃の切削能力を確保するものとする。
【０００５】
本考案の別の目的は、一種の携帯式ドリル研磨機を提供することにあり、それは、動力源を具えてその提供する動力でエメリーバフを駆動して安定して回転させることができ、周知の装置の、ドリルを動力源して借用することにより発生する振動問題を免除し、そのドリルに対する研磨精度を効果的に高めることができるものとする。
【課題を解決するための手段】
【０００６】
請求項１の考案は、ハンドルを具えて携帯しやすく内部にモータのような動力源と伝動装置が設けられてエメリーバフを駆動して安定して回転させるケースと、ドリルの切れ刃の逃げ角に組み合わされるドリル位置決め装置と、エメリーバフの前方に設けられる第１研磨シートと、エメリーバフの上方に設けられる第２研磨シートと、研磨されるドリルを挟持し、ドリル位置決め装置と組み合わされてドリルの伸出長さ及び角度を位置決めし、第１研磨シート及び第２研磨シートに組み合わされる時、それぞれドリルの静止点及び螺旋角に応じて、ドリルの切れ刃及び二番取り面をエメリーバフの研磨斜面に緊密に貼り合わせてドリルに対して研磨を行なわせる少なくとも一つの挟持具と、を具えたことを特徴とする、携帯式ドリル研磨機としている。
請求項２の考案は、請求項１記載の携帯式ドリル研磨機において、ドリル位置決め装置が挟持具を収容する挟持具固定座とドリル位置決め型を具え、該挟持具固定座とドリル位置決め型が同一軸線上に位置し、且つ設定距離離間するようにしてケースに設けられたことを特徴とする、携帯式ドリル研磨機としている。
請求項３の考案は、請求項２記載の携帯式ドリル研磨機において、ドリル位置決め型が固定シートと調整ノブの操作により該固定シートに対して上下移動調整される可動シートを具え、該可動シートにドリルの切れ刃と接合される楔形表面が設けられたことを特徴とする、携帯式ドリル研磨機としている。
請求項４の考案は、請求項１又は請求項２記載の携帯式ドリル研磨機において、挟持具が異径本体を具え、その内部にドリル寸法に合わせた寸法の筒形弾性挟持部が設けられ、該筒形弾性挟持部が、該異径本体に螺合される孔付締めつけボルトにより、強制的に該孔付締めつけボルトと異径本体に通されたドリルを緊密に挟持することを特徴とする、携帯式ドリル研磨機としている。
請求項５の考案は、請求項４記載の携帯式ドリル研磨機において、異径本体の大径端の小径端に近接する辺縁に少なくとも一つの制限溝が設けられたことを特徴とする、携帯式ドリル研磨機としている。
請求項６の考案は、請求項５記載の携帯式ドリル研磨機において、ドリル位置決め装置の挟持具固定座に挟持具の小径端の嵌入に供される軸孔と該軸孔の外周の設定角度位置にある制限凸柱が設けられ、該制限凸柱が挟持具の制限溝内に挿入可能とされ、これにより挟持具の回転角度が制限されることを特徴とする、携帯式ドリル研磨機としている。
請求項７の考案は、請求項１記載の携帯式ドリル研磨機において、第１研磨シートの底面に円弧形滑り溝が設けられ、ボルトが該円弧形滑り溝に組み合わされて、第１研磨シートが角度調整可能な方式でケースに螺子止めされることを特徴とする、携帯式ドリル研磨機としている。
請求項８の考案は、請求項２記載の携帯式ドリル研磨機において、第１研磨シートとエメリーバフの間隔が挟持具固定座とドリル位置決め型間の距離に等しいことを特徴とする、携帯式ドリル研磨機としている。
請求項９の考案は、請求項５記載の携帯式ドリル研磨機において、第１研磨シートに挟持具の小径端の嵌入に供される軸孔及び該軸孔の外周の設定角度及び設定間距位置にある二つの制限凸柱が設けられ、この制限凸柱が挟持具の制限溝内に挿入可能とされ、これにより挟持具の回転角度が制限されることを特徴とする、携帯式ドリル研磨機としている。
請求項１０の考案は、請求項９記載の携帯式ドリル研磨機において、第１研磨シートの軸孔が上向きに傾斜する角度を有し、それはドリルの切れ刃の逃げ角により設定されることを特徴とする、携帯式ドリル研磨機としている。
請求項１１の考案は、請求項２記載の携帯式ドリル研磨機において、第２研磨シートとエメリーバフの間隔が挟持具固定座とドリル位置決め型の間距に合わされたことを特徴とする、携帯式ドリル研磨機としている。
請求項１２の考案は、請求項５記載の携帯式ドリル研磨機において、第２研磨シートに挟持具の小径端の嵌入に供される軸孔及び該軸孔の外周の設定角度位置にある制限凸柱が設けられ、この制限凸柱が挟持具の制限溝内に挿入可能とされ、これにより挟持具の回転角度が制限されることを特徴とする、携帯式ドリル研磨機としている。
請求項１３の考案は、請求項１記載の携帯式ドリル研磨機において、エメリーバフがケースに設けられた研磨室内に設置され、且つ研磨室が開閉式カバーで閉じられたことを特徴とする、携帯式ドリル研磨機としている。
請求項１４の考案は、請求項１記載の携帯式ドリル研磨機において、ケースに傾斜度を有する複数の挟持具収容孔が設けられ、該挟持具収容孔が挟持具の放置に供されることを特徴とする、携帯式ドリル研磨機としている。
請求項１５の考案は、請求項４記載の携帯式ドリル研磨機において、筒形弾性挟持部が軸方向に延伸され且つ平行に配列された複数のスリットを具え、これにより弾性を具えた複数の爪部が形成され、該筒形弾性挟持部の後端が孔付締めつけボルトにより外向きに拡張させられることで、筒形弾性挟持部の前端が内向きに収縮し、これにより筒形弾性挟持部に通されたドリルを緊密に挟持することを特徴とする、携帯式ドリル研磨機としている。
【考案の効果】
【０００７】
本考案の提供する携帯式ドリル研磨機は、前述の従来の技術及びその他の従来の技術と較べる時、以下のような優れた点を有している。
１．ドリルの各切削部分に対して研磨を行なえ、研磨後のドリルに、孔あけ或いは孔拡張のいずれにおいても鋭利度を確保させることができる。
２．位置決め装置により使用者がドリルを予め位置決めでき、ドリルの切れ刃及び二番取り面を、それ自身の静止点及び螺旋角度によりエメリーバフの研磨斜面と密着させ、研磨後の切れ刃と二番取り面の切削能力を確保できる。
３．動力源を具えてそれによりエメリーバフを安定して回転させることができ、周知の装置が電気ドリルを動力源として借用することにより発生する振動問題を免除し、そのドリル研磨の精度を高めることができる。
【０００８】
ゆえに本考案は実用性のほか、新規性、進歩性及び産業上の利用価値を有し、実用新案登録の要件を具備している。
【考案を実施するための最良の形態】
【０００９】
図１に示されるように、本考案の提供する携帯式ドリル研磨機は、備えつけの動力源
によりエメリーバフ２０を駆動し安定して回転させ、挟持具６０及びドリル位置決め装置３０の組合せにより、研磨工程を行なう前に、研磨されるドリル７０を正確な伸出長さと角度を以て挟持具６０に挟持位置決めする。これにより研磨を行なう時、挟持具６０に第１研磨シート４０が組み合わされ、研磨されるドリル７０の切れ刃７１の逃げ角がエメリーバフ２０の研磨斜面２１に緊密な接合し、逃げ角に応じてエメリーバフ２０により切れ刃７１に対する研磨が行なわれ、これにより研磨後の切れ刃７１の切削能力が確保される。このほか、該挟持具６０に第２研磨シート５０が組み合わされ、研磨されるドリル７０の二番取り面７２がそれ自身の螺旋角度によりエメリーバフ２０の研磨斜面２１と緊密に接合し、並びに螺旋角度に応じてエメリーバフ２０により二番取り面７２に対する研磨が行なわれ、研磨後の二番取り面７２の切削能力が確保される。
【００１０】
上述の研磨されるドリル７０の切れ刃７１及び二番取り面７２に対して精密な研磨を行なうドリル研磨機は、ケース１０と、ドリル位置決め装置３０と、第１研磨シート４０と、第２研磨シート５０と、少なくとも一つの挟持具６０とを具えている。該ケース１０はハンドル１１を具え携帯しやすく、内部にモータのような動力源と伝動装置が設けられてエメリーバフ２０を駆動して安定して回転させる。該ドリル位置決め装置３０は研磨されるドリル７０の切れ刃７１の逃げ角に組み合わされる。第１研磨シート４０はエメリーバフ２０の前方に設けられる。第２研磨シート５０はエメリーバフ２０の上方に設けられる。挟持具６０はドリル７０を挟持する。
【００１１】
該ケース１０には電源線とプラグのような電気接続設備１２が設けられて、外界電源をケース１０内の動力源に提供し、並びに選択スイッチ１３により通電するか否かが制御される。動力源が電動モータとされて駆動された後、動力は歯車セットのような周知の形式の伝動装置によりエメリーバフ２０に伝えられる。エメリーバフ２０はケース１０側辺の研磨室１４内に設置され、且つ該研磨室１４は平時にはヒンジ１５でケース１０に枢設された開閉式のカバー１６により封じられ、これにより研磨時に発生する切り屑の周囲への飛散が防止される。使用者が切り屑を掃除したい時は、カバー１６を開けて研磨室１４内に溜まった切り屑を掃除する。
【００１２】
該ケース１０はその正面或いはその他の余った空間に、傾斜を具えた複数の挟持具収容孔１７を具え、該挟持具収容孔１７は、使用者が研磨したいドリル７０の寸法によりいずれかを選択する複数の寸法の異なる挟持具６０を収容する。
【００１３】
各図に示されるように、該エメリーバフ２０はケース１０内に設けられた動力源により駆動されて安定して回転し、その辺縁に適当な傾斜度の粗い研磨斜面２１があり、その傾斜度はドリル７０の逃げ角及び螺旋角により設計される。このほか、該エメリーバフ２０の垂直面２２に放射状に等角配列された複数の気冷式放熱片２３が設けられ、これによりエメリーバフ２０の運転期間の放熱が補助される。
【００１４】
該ドリル位置決め装置３０は該ケース１０の外表面に設置され、それは挟持具６０を安定して内部に置ける挟持具固定座３１とドリル位置決め型３２を具え、両者は同一軸線上に位置し、かつ一定の距離を開けて設置される。そのうち、該挟持具固定座３１に挟持具６０が挿入される軸孔３３及び該軸孔３３の外周の設定角度位置にある制限凸柱３４が設けられている。ドリル位置決め型３２は固定シート３５と調整ノブ３６の操作により固定座３５上で上下移動調整可能な可動シート３７を具え、該可動シート３７にドリル７０の切れ刃７１と貼り合わされる楔形表面３８が設けられている。
【００１５】
該第１研磨シート４０は角度調整可能な方式でケース１０に固定され、それは該エメリーバフ２０の前方の同一軸線上に位置し、並びにエメリーバフ２０との間に挟持具固定座３１とドリル位置決め型３２の間の距離と同じ距離を有するようにして設置される。且つ第１研磨シート４０は略Ｌ形の座体とされ、その底面に円弧形滑り溝４１が設けられ、ボルト４２が該円弧形滑り溝４１に組み合わされる固定方式により、第１研磨シート４０が必要に応じてエメリーバフ２０に対して適当な角度回転可能とされる。その目的は、各種タイプのドリル、例えば標準ドリル、ツイストドリル、ベークライトドリル等の異なる逃げ角或いは二つの切れ刃間の夾角を具えた各種ドリルに適用できるようにすることにある。
【００１６】
該第１研磨シート４０の垂直壁４６に挟持具６０の嵌入に供される斜めの軸孔４３及び該軸孔４３の外周の設定角度及び設定間距の二つの回転制限凸柱４４、４５が設けられる。該軸孔４３は研磨されるドリル７０の切れ刃７１の角度に合わせて、約１０−２５度の上向き傾斜度を有する。
【００１７】
該第２研磨シート５０はボルト５１を利用してエメリーバフ２０の上方のケース１０に固定され、並びにエメリーバフ２０との間に、挟持具固定座３１とドリル位置決め型３２の間の距離を有する。該第２研磨シート５０に該挟持具６０の嵌入に供される軸孔５２と該軸孔５２外周の設定角度位置の回転制限凸柱５３が設けられている。
【００１８】
図２から図４を参照されたい。研磨されるドリル７０を挟持する挟持具６０は、異径本体６１を具え、その内部に研磨されるドリル７０の寸法に合わせた筒形弾性挟持部６２が収容され、該筒形弾性挟持部６２に軸方向に延伸され且つ平行に配列された複数のスリット６３が設けられて、弾性を有する複数の爪部が形成され、該異径本体６１に螺合される孔付締めつけボルト６４が締めつけられる時、該筒形弾性挟持部６２の後端が外向きに拡張し、強制的に前端を内向きに収縮させ、これにより該孔付締めつけボルト６４と異径本体６１に通された研磨されるドリル７０が緊密に挟持される。このほか、該異径本体６１の大径端６５の小径端６６に近接する辺縁に少なくとも一つの制限溝６７が設けられている。
【００１９】
該研磨されるドリル７０は、例えば、標準ドリル、ツイストドリル、ベークライトドリル等の各種ドリルとされ、先端７３両側に位置する切れ刃７１を形成し、及び冷却液の注入或いは切り屑の排出のために、それに少なくとも２本の螺旋形或いは直線形の溝７４が設けられ、溝７４に切り落とされないドリル外周部分が孔拡張に供される二番取り面７２とされる。
【００２０】
図５に示されるように、該研磨機を使用してドリル７０に対して研磨を行なう前に、必ずドリル７０のサイズに応じて適合する挟持具６０を選択し、並びにドリル７０を緊密に組み合わせる方式で軸方向に沿って挟持具６０に挿通し、さらにドリル位置決め装置３０と合わせてドリル位置決めを行なう。それは、挟持具６０の小径端６６をドリル位置決め装置３０の軸孔３３内に嵌入させ、並びに該軸孔３３の外周の制限凸柱３４を該挟持具６０の制限溝６７内に進入させ、使用者が手動方式でドリル７０を前進させて、その切れ刃７１とドリル位置決め型３２の楔形表面３８を完全に密着させ、並びに挟持具６０を回転させ、制限溝６７を制限溝６７の一端に移動させ、これによりドリル７０の挟持具６０外に突出する長さとその角度を調整し、さらに孔付締めつけボルト６４を利用し、筒形弾性挟持部６２に挟持されるドリル７０を締めつけることで達成される。
【００２１】
図６及び図７に示されるように、ドリル７０の切れ刃７１の研磨を行なう時、挟持具６０とエメリーバフ２０の前方に位置する第１研磨シート４０が組み合わされて実施される。即ち、挟持具６０の小径端６６が第１研磨シート４０の軸孔４３内に挿入され、並びに該軸孔４３外周の回転制限凸柱４４、４５が挟持具６０の制限溝６７内に挿入され、切れ刃７１がその角度によりエメリーバフ２０の研磨斜面２１に密着し、切れ刃７１に対する研磨が行なわれる。必要時には第１研磨シート４０の回転角度を調整して、それに各種のドリルに対して研磨を行なわせる。研磨過程中に、使用者は該挟持具６０を回転させることができ、挟持具６０を回転させる角度は回転制限凸柱４４、４５の制限溝６７内の回転角度により定められ、これによりエメリーバフ２０が切れ刃７１の全体表面に対して研磨を行なう。
【００２２】
図８及び図９に示されるように、ドリル７０の二番取り面７２の研磨を行なう時は、挟持具６０とエメリーバフ２０の上方に位置する第２研磨シート５０を組み合わせて実施する。挟持具６０の小径端６６が第２研磨シート５０の軸孔５２内に挿入され、並びに該軸孔５２外周の回転制限凸柱５３が挟持具６０の制限溝６７内に挿入され、二番取り面７２がその螺旋角度によりエメリーバフ２０の研磨斜面２１に密着し、二番取り面７２に対する研磨が行なわれる。研磨過程中に、使用者は該挟持具６０を回転させることができ、挟持具６０を回転させる角度は回転制限凸柱５３の制限溝６７内の回転角度により定められ、これによりエメリーバフ２０が二番取り面７２の全体表面に対して研磨を行なう。
【００２３】
本考案は研磨精度を高め且つドリルの各切削部分に対して研磨を行なえる携帯式ドリル研磨機であり、その実際の作動状況及びその具体的機能について以下に説明する。該携帯式ドリル研磨機は、ハンドル１１を具えて携帯しやすく内部にモータのような動力源と伝動装置が設けられてエメリーバフ２０を駆動して安定して回転させるケース１０と、ドリルの切れ刃７１の逃げ角に組み合わされるドリル位置決め装置３０と、エメリーバフ２０の前方に設けられる第１研磨シート４０と、エメリーバフ２０の上方に設けられる第２研磨シート５０と、研磨されるドリル７０を挟持し、ドリル位置決め装置３０と組み合わされてドリル７０の伸出長さ及び角度を位置決めし、それが第１研磨シート４０及び第２研磨シート５０に組み合わされる時、それぞれドリル７０の逃げ角及び螺旋角に応じて、ドリル７０の切れ刃７１及び二番取り面７２をエメリーバフ２０の研磨斜面２１に緊密に貼り合わせてドリル７０に対して精密な研磨を行なわせる挟持具６０と、を具えている。
【００２４】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００２５】
【図１】本考案の携帯式ドリル研磨機の上方から観た斜視図である。
【図２】本考案の携帯式ドリル研磨機に使用する挟持具の斜視図である。
【図３】本考案の挟持具がドリルを位置決めした状態の平面図である。
【図４】図３の側面図である。
【図５】本考案の携帯式ドリル研磨機にドリル位置決めを行なう時の平面図である。
【図６】本考案の携帯式ドリル研磨機でドリルの切れ刃研磨を行なう時の側面図である。
【図７】図６の平面図である。
【図８】本考案の携帯式ドリル研磨機でドリルの二番取り面に対して研磨作業を行なう時の正面図である。
【図９】図８の側面図である。
【符号の説明】
【００２６】
１０  ケース
１１  ハンドル
１２  電気接続設備
１３  選択スイッチ
１４  研磨室
１５  ヒンジ
１６  カバー
１７  挟持具収容孔
２０  エメリーバフ
２１  研磨斜面
２２  垂直面
２３  放熱片
３０  ドリル位置決め装置
３１  挟持具固定座
３２  ドリル位置決め型
３３  軸孔
３４  制限凸柱
３５  固定シート
３６  調整ノブ
３７  可動シート
３８  楔形表面
４０  第１研磨シート
４１  円弧形滑り溝
４２  ボルト
４３  軸孔
４４、４５  回転制限凸柱
４６  垂直壁
５０  第２研磨シート
５１  ボルト
５２  軸孔
５３  回転制限凸柱
６０  挟持具
６１  異径本体
６２  筒形弾性挟持部
６３  スリット
６４  孔付締めつけボルト
６５  大径端
６６  小径端
６７  制限溝
７０  ドリル
７１  切れ刃
７２  二番取り面
７３  先端
７４  溝
【図１】
0003102568.tif 000003
【図２】
0003102568.tif 000004
【図３】
0003102568.tif 000005
【図４】
0003102568.tif 000006
【図５】
0003102568.tif 000007
【図６】
0003102568.tif 000008
【図７】
0003102568.tif 000009
【図８】
0003102568.tif 000010
【図９】
0003102568.tif 000011